(57)【特許請求の範囲】
【請求項１】
メッセージサービスシステムであって、
移動機が送信したメッセージを受信し、該メッセージを保管するサービスセンターと、
前記サービスセンターがメッセージを保管するたびに、該メッセージを保管するサービスセンターの情報を含む該メッセージの情報を、メッセージの送信先の移動機ごとに、サービスセンターの受信時刻、または送信元の送信時刻の順にメッセージ情報記憶部に記憶し、メッセージの送信先の移動機ごとに、前記メッセージ情報記憶部の先頭に記憶されたメッセージの情報に基づき、該メッセージを保管するサービスセンターに、該メッセージをその送信先の移動機に送信するように指示するメッセージ管理装置と
を備え、前記サービスセンターは、前記メッセージ管理装置からの前記送信指示に従ってメッセージの送信先の移動機にメッセージを送信し、該移動機が該メッセージを受信した場合には、前記メッセージ管理装置に成功通知を行い、前記メッセージ管理装置は、前記成功通知を受信した場合には、前記移動機が受信したメッセージの情報を前記メッセージ情報記憶部から削除することを特徴とするメッセージサービスシステム。
【請求項２】
請求項１に記載のメッセージサービスシステムであって、
前記メッセージには優先メッセージおよび非優先メッセージが含まれ、
前記メッセージ管理装置は、前記サービスセンターがメッセージを保管するたびに、該メッセージの情報を、メッセージの送信先の移動機ごとに、優先メッセージと非優先メッセージとに分けて、サービスセンターの受信時刻、または送信元の送信時刻の順にメッセージ情報記憶部に記憶し、メッセージの送信先の移動機ごとに、前記メッセージ情報記憶部に優先メッセージの情報が記憶されている場合には、先頭に記憶された優先メッセージの情報に基づき、該メッセージを保管するサービスセンターに、該メッセージをその送信先の移動機に送信するように指示し、優先メッセージの情報が記憶されていない場合には、先頭に記憶された非優先メッセージの情報に基づき、該メッセージを保管するサービスセンターに、該メッセージをその送信先の移動機に送信するように指示することを特徴とするメッセージサービスシステム。
【請求項３】
メッセージサービスシステムであって、
移動機が送信したメッセージを受信し、その送信先の移動機に送信し、該送信先の移動機が該メッセージを受信できない場合には該メッセージを保管するサービスセンターと、
前記サービスセンターがメッセージを保管するたびに、該メッセージを保管するサービスセンターの情報を含む該メッセージの情報を、メッセージの送信先の移動機ごとに、サービスセンターの受信時刻、または送信元の送信時刻の順にメッセージ情報記憶部に記憶し、前記サービスセンターに保管されているメッセージをその送信先の移動機が受信できるようになった場合には、前記メッセージ情報記憶部に記憶された順に、記憶されたメッセージの情報に基づき、該メッセージを保管するサービスセンターに、該メッセージをその送信先の移動機に送信するように指示するメッセージ管理装置と
を備えたことを特徴とするメッセージサービスシステム。
【請求項４】
請求項３に記載のメッセージサービスシステムであって、前記メッセージ管理装置は、サービスセンターに送信を指示したメッセージをその送信先の移動機が受信したことを確認した後で、該移動機宛の次のメッセージの送信をサービスセンターに指示することを特徴とするメッセージサービスシステム。
【請求項５】
請求項３または４に記載のメッセージサービスシステムであって、
前記メッセージには優先メッセージおよび非優先メッセージが含まれ、
前記メッセージ管理装置は、前記サービスセンターがメッセージを保管するたびに、該メッセージの情報を、メッセージの送信先の移動機ごとに、優先メッセージと非優先メッセージとに分けて、サービスセンターの受信時刻、または送信元の送信時刻の順にメッセージ情報記憶部に記憶し、前記サービスセンターに保管されているメッセージをその送信先の移動機が受信できるようになった場合には、まず、優先メッセージについて、前記メッセージ情報記憶部に記憶された順に、記憶されたメッセージの情報に基づき、該メッセージを保管するサービスセンターに、該メッセージをその送信先の移動機に送信するように指示し、次に、非優先メッセージについて、前記メッセージ情報記憶部に記憶された順に、記憶されたメッセージの情報に基づき、該メッセージを保管するサービスセンターに、該メッセージをその送信先の移動機に送信するように指示することを特徴とするメッセージサービスシステム。
【請求項６】
請求項１ないし５のいずれかに記載のメッセージサービスシステムであって、前記メッセージはショートメッセージであることを特徴とするメッセージサービスシステム。
【請求項７】
請求項１ないし６のいずれかに記載のメッセージサービスシステムであって、前記メッセージ管理装置はホームロケーションレジスタであることを特徴とするメッセージサービスシステム。
【請求項８】
請求項１ないし７のいずれかに記載のメッセージサービスシステムと、
前記メッセージサービスシステムとメッセージの送受信を行う移動機と
を備えたことを特徴とする移動通信システム。
【請求項９】
メッセージ管理方法であって、
メッセージをサービスセンターに保管する保管ステップと、
前記サービスセンターがメッセージを保管するたびに、該メッセージを保管するサービスセンターの情報を含む該メッセージの情報を、メッセージの送信先の移動機ごとに、サービスセンターの受信時刻、または送信元の送信時刻の順にメッセージ管理装置のメッセージ情報記憶部に記憶する記憶ステップと、
メッセージの送信先の移動機ごとに、前記メッセージ情報記憶部の先頭に記憶されたメッセージの情報に基づき、前記メッセージ管理装置から該メッセージを保管するサービスセンターに、該メッセージをその送信先の移動機に送信するように指示する指示ステップと、
前記メッセージ管理装置からの前記送信指示に従って前記サービスセンターがメッセージの送信先の移動機にメッセージを送信し、該移動機が該メッセージを受信した場合に、前記サービスセンターから前記メッセージ管理装置に成功通知を行う成功通知ステップと、
前記成功通知を受信した場合に、前記移動機が受信したメッセージの情報を、前記メッセージ管理装置の前記メッセージ情報記憶部から削除するステップと
を備えることを特徴とするメッセージ管理方法。
【請求項１０】
請求項９に記載のメッセージ管理方法であって、
前記メッセージには優先メッセージおよび非優先メッセージが含まれ、
前記記憶ステップは、前記サービスセンターがメッセージを保管するたびに、該メッセージの情報を、メッセージの送信先の移動機ごとに、優先メッセージと非優先メッセージとに分けて、サービスセンターの受信時刻、または送信元の送信時刻の順に前記メッセージ管理装置のメッセージ情報記憶部に記憶し、
前記指示ステップは、メッセージの送信先の移動機ごとに、前記メッセージ情報記憶部に優先メッセージの情報が記憶されている場合には、先頭に記憶された優先メッセージの情報に基づき、前記メッセージ情報記憶部から該メッセージを保管するサービスセンターに、該メッセージをその送信先の移動機に送信するように指示し、優先メッセージの情報が記憶されていない場合には、先頭に記憶された非優先メッセージの情報に基づき、前記メッセージ情報記憶部から該メッセージを保管するサービスセンターに、該メッセージをその送信先の移動機に送信するように指示することを特徴とするメッセージ管理方法。
【請求項１１】
メッセージ管理方法であって、
メッセージの送信先の移動機が該メッセージを受信できない場合に、該メッセージをサービスセンターに保管する保管ステップと、
前記サービスセンターにメッセージを保管するたびに、該メッセージを保管するサービスセンターの情報を含む該メッセージの情報を、メッセージの送信先の移動機ごとに、サービスセンターの受信時刻、または送信元の送信時刻の順にメッセージ管理装置のメッセージ情報記憶部に記憶する記憶ステップと、
前記サービスセンターに保管されているメッセージをその送信先の移動機が受信できるようになった場合には、前記メッセージ情報記憶部に記憶された順に、記憶されたメッセージの情報に基づき、前記メッセージ管理装置から該メッセージを保管するサービスセンターに、該メッセージをその送信先の移動機に送信するように指示する指示ステップと
を備えることを特徴とするメッセージ管理方法。
【請求項１２】
請求項１１に記載のメッセージ管理方法であって、前記指示ステップは、サービスセンターに送信を指示したメッセージをその送信先の移動機が受信したことを確認した後で、該移動機宛の次のメッセージの送信をサービスセンターに指示することを特徴とするメッセージ管理方法。
【請求項１３】
請求項１１または１２に記載のメッセージ管理方法であって、
前記メッセージには優先メッセージおよび非優先メッセージが含まれ、
前記記憶ステップは、前記サービスセンターがメッセージを保管するたびに、該メッセージの情報を、メッセージの送信先の移動機ごとに、優先メッセージと非優先メッセージとに分けて、サービスセンターの受信時刻、または送信元の送信時刻の順に前記メッセージ管理装置のメッセージ情報記憶部に記憶し、
前記指示ステップは、前記サービスセンターに保管されているメッセージをその送信先の移動機が受信できるようになった場合には、まず、優先メッセージについて、前記メッセージ情報記憶部に記憶された順に、記憶されたメッセージの情報に基づき、前記メッセージ管理装置から該メッセージを保管するサービスセンターに、該メッセージをその送信先の移動機に送信するように指示し、次に、非優先メッセージについて、前記メッセージ情報記憶部に記憶された順に、記憶されたメッセージの情報に基づき、前記メッセージ管理装置から該メッセージを保管するサービスセンターに、該メッセージをその送信先の移動機に送信するように指示することを特徴とするメッセージ管理方法。
【請求項１４】
請求項９ないし１３のいずれかに記載のメッセージ管理方法であって、前記メッセージはショートメッセージであることを特徴とするメッセージ管理方法。
【請求項１５】
請求項９ないし１４のいずれかに記載のメッセージ管理方法であって、前記メッセージ管理装置はホームロケーションレジスタであることを特徴とするメッセージ管理方法。
【発明の詳細な説明】
【０００１】
【発明の属する技術分野】
本発明は、メッセージサービスにおいてメッセージの到着順序の適正化を図るメッセージサービスシステム、移動通信システムおよびメッセージ管理方法に関する。
【０００２】
【従来の技術】
従来のメッセージサービスにおいて、移動機の契約者（加入者）は、自己を収容するサービスセンター（ＳＣ）を介して、他の移動機にメッセージ（例えば、ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎｓ）規格のショートメッセージ）を送信することができる。
【０００３】
図１は、従来のメッセージサービスシステムにおけるメッセージの流れの例を示す図である。移動機３１の契約者は、自己を収容するサービスセンター１１を介して、移動機３２にメッセージを送信することができる。すなわち、図１のシステムにおいて、サービスセンターはメッセージの発信者ごとに割り当てられている。
【０００４】
ただし、サービスセンターがメッセージをその送信先の移動機に送信しても、その移動機がそのメッセージを受信できない場合がある。例えば、送信先の移動機（着信者）の電源がオフである場合や、送信先の移動機がサービスエリアの圏外にいる場合である。
【０００５】
図２は、従来のメッセージサービスシステムにおいて送信先の移動機がメッセージを受信できない場合の処理例を示す図である。まず、移動機３２が自己を収容するサービスセンター１３（ＳＣ  Ａ）に移動機３１宛のメッセージを送信したとする（（ａ））。このとき、例えば移動機３１が圏外にいてそのメッセージを受信できない場合（（ｂ））、サービスセンター１３はそのメッセージを保管（蓄積）する。そして、契約者情報を持つＨＬＲ（ホームロケーションレジスタ）２１のＭＷＤ（Ｍｅｓｓａｇｅ  Ｗａｉｔｉｎｇ  Ｄａｔａ）に、そのメッセージを受け付けた（保管した）サービスセンターのアドレス（すなわち、サービスセンター１３のアドレス）を記憶する（（ｃ））。このＨＬＲ２１のＭＷＤは、送信先の移動機（着信者）ごとに設けられている。
【０００６】
次に、移動機３３が自己を収容するサービスセンター１４（ＳＣ  Ｂ）に移動機３１宛のメッセージを送信したとする（（ｄ））。このときも、移動機３１は圏外にいてそのメッセージを受信できないとする（（ｅ））。サービスセンター１４はそのメッセージを保管し、ＨＬＲ２１のＭＷＤに、そのメッセージを受け付けたサービスセンターのアドレス（すなわち、サービスセンター１４のアドレス）を記憶する（（ｆ））。
【０００７】
その後、移動機３１がサービスエリア圏内に入って、ＨＬＲ２１に位置登録をしたとする（（ｇ））。これを契機にＨＬＲ２１は、移動機３１がメッセージを受信できる状態になったことを知る。ＨＬＲ２１は、ＭＷＤを参照し、移動機３１宛のメッセージがサービスセンターに保管されていることを知る。ＨＬＲ２１は、まず、ＭＷＤの先頭に記憶されているサービスセンター１３（ＳＣ  Ａ）のアドレスに基づき、サービスセンター１３にＡｌｅｒｔ−ＳＣ信号を送る（（ｈ））。サービスセンター１３はＡｌｅｒｔ−ＳＣ信号を受け取ると、保管してある移動機３１宛のメッセージを移動機３１に送信する（（ｉ））。移動機３１はメッセージを受信すると、サービスセンター１３に受信したことを知らせるために送信レポート（例えば、Ａｃｋ信号）を送信する（（ｊ））。ＨＬＲ２１は、サービスセンター１３にＡｌｅｒｔ−ＳＣ信号を送った時点で、ＭＷＤの先頭に記憶されているアドレスを削除し、次に記憶されているサービスセンター１４（ＳＣ  Ｂ）のアドレスに基づき、サービスセンター１４にＡｌｅｒｔ−ＳＣ信号を送る（（ｋ））。サービスセンター１４はＡｌｅｒｔ−ＳＣ信号を受け取ると、保管してある移動機３１宛のメッセージを移動機３１に送信する（（ｌ））。移動機３１はメッセージを受信すると、サービスセンター１４に受信したことを知らせるためにレポートを送信する（（ｍ））。
【０００８】
なお、同一の移動機宛のメッセージを２件以上保管している場合、サービスセンター１３、１４は、その移動機から送信レポートを受信するまで、保管しているその移動機宛の次のメッセージを送信しない。
【０００９】
【発明が解決しようとする課題】
しかし、従来のメッセージサービスにおいては、ＭＷＤに同一のサービスセンターアドレスを登録しないこと、同一着信者へのメッセージが複数のサービスセンターにまたがること等の理由により、メッセージが移動機に到達する順序が逆転することがあった。
【００１０】
例えば図２において、移動機３１宛のメッセージＭ１、Ｍ２、Ｍ３がそれぞれ、サービスセンター１３、サービスセンター１４、サービスセンター１３にこの順で受信され、保管されたとする。このとき、ＭＷＤにはサービスセンター１３のアドレスの後にサービスセンター１４のアドレスが記憶されるにすぎない。送信先の移動機３１がメッセージを受信できる状態になると、ＨＬＲ２１はサービスセンター１３にＡｌｅｒｔ−ＳＣ信号を送信し、次にサービスセンター１４にＡｌｅｒｔ−ＳＣ信号を送信する。サービスセンター１３はＡｌｅｒｔ−ＳＣ信号を受信するとメッセージＭ１およびＭ３を移動機３１に送信する。サービスセンター１４はＡｌｅｒｔ−ＳＣ信号を受信するとメッセージＭ２を移動機３１に送信する。このとき、メッセージＭ３がメッセージＭ２よりも先に移動機３１に到達することがあり得る。
【００１１】
また例えば図２において、移動機３１宛のメッセージＭ１、Ｍ２、Ｍ３がそれぞれ、サービスセンター１３、サービスセンター１３、サービスセンター１４にこの順で受信され、保管されたとする。この場合にも、移動機３１がメッセージＭ１を受信したことを知らせるレポートをサービスセンター１３に送信するのが遅れたようなときには、サービスセンター１３によるメッセージＭ２の送信が遅れ、メッセージＭ３がメッセージＭ２よりも先に移動機３１に到達することがあり得る。また、サービスセンター１３によるメッセージＭ１の送信が遅れたような場合には、メッセージＭ３がメッセージＭ１よりも先に移動機３１に到達することがないともいえない。
【００１２】
そこで、本発明の目的は、メッセージサービスにおいてメッセージの到着順序の適正化を図ることである。
【００１３】
【課題を解決するための手段】
上記目的を達成するために、請求項１に記載の発明は、メッセージサービスシステムであって、移動機が送信したメッセージを受信し、該メッセージを保管するサービスセンターと、前記サービスセンターがメッセージを保管するたびに、該メッセージを保管するサービスセンターの情報を含む該メッセージの情報を、メッセージの送信先の移動機ごとに、サービスセンターの受信時刻、または送信元の送信時刻の順にメッセージ情報記憶部に記憶し、メッセージの送信先の移動機ごとに、前記メッセージ情報記憶部の先頭に記憶されたメッセージの情報に基づき、該メッセージを保管するサービスセンターに、該メッセージをその送信先の移動機に送信するように指示するメッセージ管理装置とを備え、前記サービスセンターは、前記メッセージ管理装置からの前記送信指示に従ってメッセージの送信先の移動機にメッセージを送信し、該移動機が該メッセージを受信した場合には、前記メッセージ管理装置に成功通知を行い、前記メッセージ管理装置は、前記成功通知を受信した場合には、前記移動機が受信したメッセージの情報を前記メッセージ情報記憶部から削除することを特徴とする。
【００１４】
請求項２に記載の発明は、請求項１に記載のメッセージサービスシステムであって、前記メッセージには優先メッセージおよび非優先メッセージが含まれ、前記メッセージ管理装置は、前記サービスセンターがメッセージを保管するたびに、該メッセージの情報を、メッセージの送信先の移動機ごとに、優先メッセージと非優先メッセージとに分けて、サービスセンターの受信時刻、または送信元の送信時刻の順にメッセージ情報記憶部に記憶し、メッセージの送信先の移動機ごとに、前記メッセージ情報記憶部に優先メッセージの情報が記憶されている場合には、先頭に記憶された優先メッセージの情報に基づき、該メッセージを保管するサービスセンターに、該メッセージをその送信先の移動機に送信するように指示し、優先メッセージの情報が記憶されていない場合には、先頭に記憶された非優先メッセージの情報に基づき、該メッセージを保管するサービスセンターに、該メッセージをその送信先の移動機に送信するように指示することを特徴とする。
【００１５】
請求項３に記載の発明は、メッセージサービスシステムであって、移動機が送信したメッセージを受信し、その送信先の移動機に送信し、該送信先の移動機が該メッセージを受信できない場合には該メッセージを保管するサービスセンターと、前記サービスセンターがメッセージを保管するたびに、該メッセージを保管するサービスセンターの情報を含む該メッセージの情報を、メッセージの送信先の移動機ごとに、サービスセンターの受信時刻、または送信元の送信時刻の順にメッセージ情報記憶部に記憶し、前記サービスセンターに保管されているメッセージをその送信先の移動機が受信できるようになった場合には、前記メッセージ情報記憶部に記憶された順に、記憶されたメッセージの情報に基づき、該メッセージを保管するサービスセンターに、該メッセージをその送信先の移動機に送信するように指示するメッセージ管理装置とを備えたことを特徴とする。
【００１６】
請求項４に記載の発明は、請求項３に記載のメッセージサービスシステムであって、前記メッセージ管理装置は、サービスセンターに送信を指示したメッセージをその送信先の移動機が受信したことを確認した後で、該移動機宛の次のメッセージの送信をサービスセンターに指示することを特徴とする。
【００１７】
請求項５に記載の発明は、請求項３または４に記載のメッセージサービスシステムであって、前記メッセージには優先メッセージおよび非優先メッセージが含まれ、前記メッセージ管理装置は、前記サービスセンターがメッセージを保管するたびに、該メッセージの情報を、メッセージの送信先の移動機ごとに、優先メッセージと非優先メッセージとに分けて、サービスセンターの受信時刻、または送信元の送信時刻の順にメッセージ情報記憶部に記憶し、前記サービスセンターに保管されているメッセージをその送信先の移動機が受信できるようになった場合には、まず、優先メッセージについて、前記メッセージ情報記憶部に記憶された順に、記憶されたメッセージの情報に基づき、該メッセージを保管するサービスセンターに、該メッセージをその送信先の移動機に送信するように指示し、次に、非優先メッセージについて、前記メッセージ情報記憶部に記憶された順に、記憶されたメッセージの情報に基づき、該メッセージを保管するサービスセンターに、該メッセージをその送信先の移動機に送信するように指示することを特徴とする。
【００１８】
請求項６に記載の発明は、請求項１ないし５のいずれかに記載のメッセージサービスシステムであって、前記メッセージはショートメッセージであることを特徴とする。
【００１９】
請求項７に記載の発明は、請求項１ないし６のいずれかに記載のメッセージサービスシステムであって、前記メッセージ管理装置はホームロケーションレジスタであることを特徴とする。
【００２０】
請求項８に記載の発明は、請求項１ないし７のいずれかに記載のメッセージサービスシステムと、前記メッセージサービスシステムとメッセージの送受信を行う移動機とを備えたことを特徴とする。
【００２１】
請求項９に記載の発明は、メッセージ管理方法であって、メッセージをサービスセンターに保管する保管ステップと、前記サービスセンターがメッセージを保管するたびに、該メッセージを保管するサービスセンターの情報を含む該メッセージの情報を、メッセージの送信先の移動機ごとに、サービスセンターの受信時刻、または送信元の送信時刻の順にメッセージ管理装置のメッセージ情報記憶部に記憶する記憶ステップと、メッセージの送信先の移動機ごとに、前記メッセージ情報記憶部の先頭に記憶されたメッセージの情報に基づき、前記メッセージ管理装置から該メッセージを保管するサービスセンターに、該メッセージをその送信先の移動機に送信するように指示する指示ステップと、前記メッセージ管理装置からの前記送信指示に従って前記サービスセンターがメッセージの送信先の移動機にメッセージを送信し、該移動機が該メッセージを受信した場合に、前記サービスセンターから前記メッセージ管理装置に成功通知を行う成功通知ステップと、前記成功通知を受信した場合に、前記移動機が受信したメッセージの情報を、前記メッセージ管理装置の前記メッセージ情報記憶部から削除するステップとを備えることを特徴とする。
【００２２】
請求項１０に記載の発明は、請求項９に記載のメッセージ管理方法であって、前記メッセージには優先メッセージおよび非優先メッセージが含まれ、前記記憶ステップは、前記サービスセンターがメッセージを保管するたびに、該メッセージの情報を、メッセージの送信先の移動機ごとに、優先メッセージと非優先メッセージとに分けて、サービスセンターの受信時刻、または送信元の送信時刻の順に前記メッセージ管理装置のメッセージ情報記憶部に記憶し、前記指示ステップは、メッセージの送信先の移動機ごとに、前記メッセージ情報記憶部に優先メッセージの情報が記憶されている場合には、先頭に記憶された優先メッセージの情報に基づき、前記メッセージ情報記憶部から該メッセージを保管するサービスセンターに、該メッセージをその送信先の移動機に送信するように指示し、優先メッセージの情報が記憶されていない場合には、先頭に記憶された非優先メッセージの情報に基づき、前記メッセージ情報記憶部から該メッセージを保管するサービスセンターに、該メッセージをその送信先の移動機に送信するように指示することを特徴とする。
【００２３】
請求項１１に記載の発明は、メッセージ管理方法であって、メッセージの送信先の移動機が該メッセージを受信できない場合に、該メッセージをサービスセンターに保管する保管ステップと、前記サービスセンターにメッセージを保管するたびに、該メッセージを保管するサービスセンターの情報を含む該メッセージの情報を、メッセージの送信先の移動機ごとに、サービスセンターの受信時刻、または送信元の送信時刻の順にメッセージ管理装置のメッセージ情報記憶部に記憶する記憶ステップと、前記サービスセンターに保管されているメッセージをその送信先の移動機が受信できるようになった場合には、前記メッセージ情報記憶部に記憶された順に、記憶されたメッセージの情報に基づき、前記メッセージ管理装置から該メッセージを保管するサービスセンターに、該メッセージをその送信先の移動機に送信するように指示する指示ステップとを備えることを特徴とする。
【００２４】
請求項１２に記載の発明は、請求項１１に記載のメッセージ管理方法であって、前記指示ステップは、サービスセンターに送信を指示したメッセージをその送信先の移動機が受信したことを確認した後で、該移動機宛の次のメッセージの送信をサービスセンターに指示することを特徴とする。
【００２５】
請求項１３に記載の発明は、請求項１１または１２に記載のメッセージ管理方法であって、前記メッセージには優先メッセージおよび非優先メッセージが含まれ、前記記憶ステップは、前記サービスセンターがメッセージを保管するたびに、該メッセージの情報を、メッセージの送信先の移動機ごとに、優先メッセージと非優先メッセージとに分けて、サービスセンターの受信時刻、または送信元の送信時刻の順に前記メッセージ管理装置のメッセージ情報記憶部に記憶し、前記指示ステップは、前記サービスセンターに保管されているメッセージをその送信先の移動機が受信できるようになった場合には、まず、優先メッセージについて、前記メッセージ情報記憶部に記憶された順に、記憶されたメッセージの情報に基づき、前記メッセージ管理装置から該メッセージを保管するサービスセンターに、該メッセージをその送信先の移動機に送信するように指示し、次に、非優先メッセージについて、前記メッセージ情報記憶部に記憶された順に、記憶されたメッセージの情報に基づき、前記メッセージ管理装置から該メッセージを保管するサービスセンターに、該メッセージをその送信先の移動機に送信するように指示することを特徴とする。
【００２６】
請求項１４に記載の発明は、請求項９ないし１３のいずれかに記載のメッセージ管理方法であって、前記メッセージはショートメッセージであることを特徴とする。
【００２７】
請求項１５に記載の発明は、請求項９ないし１４のいずれかに記載のメッセージ管理方法であって、前記メッセージ管理装置はホームロケーションレジスタであることを特徴とする。
【００２８】
以上の構成によれば、メッセージサービスにおいてメッセージの到着順序の適正化を図ることができる。
【００２９】
【発明の実施の形態】
以下、図面を参照しつつ本発明の実施の形態について詳しく説明する。
【００３０】
（第１実施形態）
図３は、本発明の第１実施形態に係るメッセージサービスシステムの構成例を示す図である。本実施形態に係るメッセージサービスシステムは、サービスセンター（ＳＣ）１１１、１１２、ＨＬＲ（ホームロケーションレジスタ）１２１、および交換機１４１、１４２を備える。ＨＬＲ１２１はＭＷＤを備える。ＭＷＤにはメッセージの情報を記憶することができる。ＨＬＲ１２１と交換機１４１、１４２とは一体であってもよい。また、ＨＬＲ１２１とサービスセンター１１１、１１２とを直接接続してもよい。移動機１３１、１３２は、交換機１４１、１４２を介して（さらに基地局を介してもよい）メッセージサービスシステムと通信することができる。
【００３１】
本実施形態に係るメッセージサービスシステムで送受信されるメッセージはショートメッセージである。ショートメッセージは、最大１４０［ｏｃｔｅｔ］のテキストからなるメッセージであり、ＧＳＭ標準で規定されている。ただし、本発明はショートメッセージ以外のメッセージをサービスするシステムに対しても適用できる。
【００３２】
図４は、本実施形態に係るメッセージサービスシステムにおいて送信先の移動機がメッセージを受信できる場合の処理例を示す図である。まず、移動機１３２が自己を収容するサービスセンター１１１（ＳＣ＃１）に移動機１３１宛のメッセージＭ１を送信したとする（（ａ））。メッセージＭ１のサービスセンター１１１における受信時刻が１４時１７分５２秒（１４：１７：５２）であったとする。サービスセンターは、メッセージを受信すると、送信先の移動機がメッセージを受信できるか否かにかかわらず、メッセージを保管し、メッセージの情報をＨＬＲに送信する。この場合、サービスセンター１１１は、メッセージＭ１を保管し、メッセージＭ１の情報をＨＬＲ１２１に送信する（（ｂ））。メッセージの情報には、メッセージの送信先の移動機に関する情報、メッセージを保管するサービスセンターに関する情報（例えば、サービスセンターのアドレス）、およびサービスセンターがメッセージを受信した時刻が含まれる。この場合、メッセージの送信先の移動機に関する情報はメッセージＭ１の送信先の移動機１３１に関する情報であり、メッセージＭ１を保管するサービスセンターに関する情報はサービスセンター１１１に関する情報であり、サービスセンターがメッセージＭ１を受信した時刻は１４：１７：５２である。ＨＬＲはメッセージの情報を受信するたびに、すなわちサービスセンターがメッセージを保管するたびに、メッセージ情報を送信先の移動機（着信者）ごとにＭＷＤに記憶する。その際、サービスセンターの受信時刻の順にメッセージ情報を記憶する。サービスセンターの受信時刻は、メッセージ情報を受信時刻の順に記憶するために用いられるので、サービスセンターの受信時刻自体はＭＷＤに記憶しなくてもよい。
【００３３】
ＨＬＲはＭＷＤの先頭に記憶されたメッセージ情報に基づき、そのメッセージを保管するサービスセンターに、そのメッセージをその送信先の移動機に送信するように指示する。この場合、ＭＷＤの先頭に記憶されたメッセージ情報は移動機１３１が移動機１３２に向けて送信したメッセージＭ１の情報であるから、ＨＬＲ１２１は、その情報（メッセージＭ１を保管するサービスセンターの情報）に基づき、メッセージＭ１を保管するサービスセンター１１１に、メッセージＭ１をその送信先の移動機１３１に送信するように指示する（（ｃ））。送信指示は、例えばＡｌｅｒｔ−ＳＣ信号の送信により行う。
【００３４】
ＭＷＤの先頭に記憶されたメッセージ情報に基づきこのような送信指示を行う契機としては、ＭＷＤに記憶されるメッセージ情報に変動（増減）があった場合が考えられる。さらに、移動機が位置登録を行った場合に指示を行うようにしてもよい。また、サービスセンターが移動機にメッセージを送信しても移動機が受信できない場合があるので、移動機からの応答がない場合には、サービスセンターはメッセージを再度移動機に送信する。サービスセンターが自主的に再度メッセージを送信するようにしてもよいし、ＨＬＲがサービスセンターに再度送信指示を行うようにしてもよい。移動機が位置登録を行った場合にＨＬＲが再度送信指示を行うようにしてもよい。
【００３５】
サービスセンターは送信指示を受けると、そのメッセージを送信先の移動機に送信する。移動機はメッセージを受信すると、送信したサービスセンターに受信したことを知らせるために送信レポートを送信する。サービスセンターは送信レポートを受信すると、ＨＬＲに成功通知を行う。ＨＬＲは成功通知を受信すると、そのメッセージの情報をＭＷＤから削除する。ＨＬＲは成功通知を受信した時点でメッセージ情報を削除するので、移動機がサービス圏外から圏内に入って、またすぐに圏外に出てしまい、メッセージを受信できないような場合にも、再度送信指示を出すことができる。
【００３６】
図４において、サービスセンター１１１はメッセージＭ１の送信指示を受けると、メッセージＭ１を送信先の移動機１３１に送信する（（ｄ））。移動機１３１はメッセージＭ１を受信すると、送信したサービスセンター１１１に受信したことを知らせるために送信レポートを送信する（（ｅ））。サービスセンター１１１は送信レポートを受信すると、ＨＬＲ１２１に成功通知を行う（（ｆ））。ＨＬＲ１２１は成功通知を受信すると、メッセージＭ１の情報をＭＷＤから削除する。
【００３７】
図５および図６は、本実施形態に係るメッセージサービスシステムにおいて送信先の移動機がメッセージを受信できない場合の処理例を示す図である。まず、移動機１３３が自己を収容するサービスセンター１１２（ＳＣ＃２）に移動機１３１宛のメッセージＭ１を送信したとする（図５の（ａ））。メッセージＭ１のサービスセンター１１２における受信時刻が１５：５０：１８であったとする。サービスセンター１１２は、受信したメッセージＭ１を保管し、メッセージＭ１の情報をＨＬＲ１２１に送信する（（ｂ））。ＨＬＲ１２１はメッセージＭ１の情報を受信し、ＭＷＤに記憶する。そして、このメッセージＭ１の情報がＭＷＤの先頭に記憶されたメッセージ情報であるから、メッセージＭ１を保管するサービスセンター１１２に、メッセージＭ１をその送信先の移動機１３１に送信するように指示する（（ｃ））。
【００３８】
ここで、メッセージＭ１の送信先である移動機１３１がメッセージを受信できないとする。その場合、サービスセンター１１２がメッセージＭ１を移動機１３１に送信しても（（ｄ））、応答はない。
【００３９】
次に、移動機１３３が自己を収容するサービスセンター１１１（ＳＣ＃１）に移動機１３１宛のメッセージＭ２を送信したとする（（ｅ））。メッセージＭ２のサービスセンター１１１における受信時刻が１５：５５：０９であったとする。サービスセンター１１１は、受信したメッセージＭ２を保管し、メッセージＭ２の情報をＨＬＲ１２１に送信する（（ｆ））。ＨＬＲ１２１はメッセージＭ２の情報を受信し、ＭＷＤに記憶する。メッセージＭ２の情報のＭＷＤにおける記憶位置は先頭ではないので（先頭はメッセージＭ１の情報）、先頭になるまでメッセージＭ２に関して送信指示が出されることはない。
【００４０】
次に、移動機１３４が自己を収容するサービスセンター１１２に移動機１３１宛のメッセージＭ３を送信したとする（（ｇ））。メッセージＭ３のサービスセンター１１２における受信時刻が１６：２３：２１であったとする。サービスセンター１１２は、受信したメッセージＭ３を保管し、メッセージＭ３の情報をＨＬＲ１２１に送信する（（ｈ））。ＨＬＲ１２１はメッセージＭ３の情報を受信し、ＭＷＤに記憶する。メッセージＭ３の情報のＭＷＤにおける記憶位置も先頭ではないので、先頭になるまでメッセージＭ３に関して送信指示が出されることはない。
【００４１】
その後、移動機１３１がメッセージを受信できるようになったとする（図６）。サービスセンター１１２から移動機１３１へ再度メッセージＭ１の送信が行われると（（ｉ））、移動機１３１はメッセージＭ１を受信すると、送信したサービスセンター１１２に受信したことを知らせるために送信レポートを送信する（（ｊ））。サービスセンター１１２は送信レポートを受信すると、ＨＬＲ１２１に成功通知を行う（（ｋ））。ＨＬＲ１２１は成功通知を受信すると、メッセージＭ１の情報をＭＷＤから削除する。
【００４２】
ＭＷＤからメッセージＭ１の情報が削除されると、メッセージＭ２の情報がＭＷＤの先頭に記憶されたメッセージ情報になるので、ＨＬＲ１２１はメッセージＭ２の情報に基づき、メッセージＭ２を保管するサービスセンター１１１に、メッセージＭ２を送信するように指示を行う（（ｌ））。送信指示を受けると、サービスセンター１１１は移動機１３１にメッセージＭ２を送信する（（ｍ））。移動機１３１はメッセージＭ２を受信すると、送信したサービスセンター１１１に受信したことを知らせるために送信レポートを送信する（（ｎ））。サービスセンター１１１は送信レポートを受信すると、ＨＬＲ１２１に成功通知を行う（（ｏ））。ＨＬＲ１２１は成功通知を受信すると、メッセージＭ２の情報をＭＷＤから削除する。
【００４３】
ＭＷＤからメッセージＭ２の情報が削除されると、メッセージＭ３の情報がＭＷＤの先頭に記憶されたメッセージ情報になるので、ＨＬＲ１２１はメッセージＭ３の情報に基づき、メッセージＭ３を保管するサービスセンター１１２に、メッセージＭ３を送信するように指示を行う（（ｐ））。送信指示を受けると、サービスセンター１１２は移動機１３１にメッセージＭ３を送信する（（ｑ））。移動機１３１はメッセージＭ３を受信すると、送信したサービスセンター１１２に受信したことを知らせるために送信レポートを送信する（（ｒ））。サービスセンター１１２は送信レポートを受信すると、ＨＬＲ１２１に成功通知を行う（（ｓ））。ＨＬＲ１２１は成功通知を受信すると、メッセージＭ３の情報をＭＷＤから削除する。
【００４４】
本実施形態ではこのようにしてメッセージの到着順序の適正化を図っている。また、本実施形態においては、送信先の移動機がメッセージを受信できる場合にもＭＷＤを通すため、移動機が受信できずにサービスセンターに溜まっていたメッセージをその移動機に送信する処理の途中で、新たなメッセージが送られてきても、メッセージの到着順序の適正化を図ることができる。
【００４５】
（第２実施形態）
本発明の第１実施形態に係るメッセージサービスシステムにおいて、メッセージとして優先メッセージおよび非優先メッセージを設け、両者の扱いを変えるようにすることができる。
【００４６】
図７は、本発明の第２実施形態に係るＨＬＲのＭＷＤへのメッセージ情報の記憶例を示す図である。例えば、現在、メッセージ情報が図７に示すように記憶されていたとする。ここで、新しいメッセージ情報がサービスセンターから送られてきた場合、その新しいメッセージ情報が優先メッセージの情報であれば、現在記憶されている優先メッセージの情報の最後に記憶される。すなわち、メッセージ情報▲２▼とメッセージ情報▲３▼の間に記憶される。新しいメッセージ情報が非優先メッセージの情報であれば、現在記憶されているメッセージ情報の最後に記憶される。すなわち、メッセージ情報▲４▼の後ろに記憶される。
【００４７】
このようにＨＬＲ１２１は、メッセージ情報を、メッセージの送信先の移動機ごとに、優先メッセージと非優先メッセージとに分けて、サービスセンターの受信時刻、または送信元の送信時刻の順にＭＷＤに記憶する。
【００４８】
メッセージの送信は、第１実施形態の場合と同様に、ＭＷＤの先頭に記憶されたメッセージ情報に関するメッセージについて行う。すなわち、ＭＷＤに優先メッセージの情報が記憶されている場合には、先頭に記憶された優先メッセージの情報（図７の例ではメッセージ情報▲１▼）に基づき、該メッセージを保管するサービスセンターに、該メッセージをその送信先の移動機に送信するように指示する。ＭＷＤに優先メッセージの情報が記憶されていない場合には、先頭に記憶された非優先メッセージの情報に基づき、該メッセージを保管するサービスセンターに、該メッセージをその送信先の移動機に送信するように指示する。これにより、優先メッセージをすべて送信した後に、非優先メッセージを送信することができる。
【００４９】
（第３実施形態）
本発明の第１実施形態に係るメッセージサービスシステムにおいて、処理の簡略化のため、送信先の移動機がメッセージを受信できる場合には、ＨＬＲ１２１にメッセージ情報を記憶しないようにすることができる。
【００５０】
図８は、本発明の第３実施形態に係るメッセージサービスシステムにおいて送信先の移動機がメッセージを受信できる場合の処理例を示す図である。まず、移動機１３２が自己を収容するサービスセンター１１１（ＳＣ＃１）に移動機１３１宛のメッセージＭ１を送信したとする（（ａ））。サービスセンター１１１は、メッセージＭ１を受信すると、そのメッセージＭ１を送信先の移動機１３１に送信する（（ｂ））。移動機１３１はメッセージＭ１を受信すると、送信したサービスセンター１１１に受信したことを知らせるために送信レポートを送信する（（ｃ））。サービスセンター１１１は送信レポートを受信した場合には、ＨＬＲ１２１にメッセージ情報を送信しない。
【００５１】
図９および図１０は、本実施形態に係るメッセージサービスシステムにおいて送信先の移動機がメッセージを受信できない場合の処理例を示す図である。まず、移動機１３３が自己を収容するサービスセンター１１２（ＳＣ＃２）に移動機１３１宛のメッセージＭ１を送信したとする（図９の（ａ））。サービスセンター１１２は、受信したメッセージＭ１を移動機１３１に送信する（（ｂ））。
【００５２】
ここで、メッセージＭ１の送信先である移動機１３１がメッセージを受信できないとする。その場合、サービスセンター１１２がメッセージＭ１を移動機１３１に送信しても応答はない。サービスセンター１１２は、例えば移動機１３１からの応答が一定期間ない場合には、移動機１３１がメッセージを受信できない状態にあると判断し、ＨＬＲ１２１にメッセージＭ１の情報を送信する（（ｃ））。
【００５３】
次に、移動機１３３が自己を収容するサービスセンター１１１（ＳＣ＃１）に移動機１３１宛のメッセージＭ２を送信したとする（（ｄ））。サービスセンター１１１は、受信したメッセージＭ２を移動機１３１に送信する（（ｅ））。ここでも、移動機１３１はメッセージを受信できないとする。サービスセンター１１１は、ＨＬＲ１２１にメッセージＭ２の情報を送信する（（ｆ））。
【００５４】
次に、移動機１３４が自己を収容するサービスセンター１１２に移動機１３１宛のメッセージＭ３を送信したとする（（ｇ））。サービスセンター１１２は、受信したメッセージＭ３を移動機１３１に送信する（（ｈ））。ここでも、移動機１３１はメッセージを受信できないとする。サービスセンター１１２は、ＨＬＲ１２１にメッセージＭ３の情報を送信する（（ｉ））。
【００５５】
その後、移動機１３１がメッセージを受信できるようになったとする（図１０）。このことを、ＨＬＲ１２１が移動機１３１からの位置登録要求により知ると、ＨＬＲ１２１は、ＭＷＤに記憶された順に、記憶されたメッセージの情報に基づき、該メッセージを保管するサービスセンターに、該メッセージをその送信先の移動機に送信するように指示する。図１０の例では、まず、ＨＬＲ１２１は、ＭＷＤの先頭に記憶されたメッセージＭ１の情報に基づき、サービスセンター１１２にメッセージＭ１を移動機に送信するように指示する（（ｊ））。サービスセンター１１２は送信指示を受けると、メッセージＭ１を移動機１３１に送信する（（ｋ））。移動機１３１はメッセージＭ１を受信すると、サービスセンター１１２に送信レポートを送信する（（ｌ））。
【００５６】
ＨＬＲ１２１はメッセージＭ１に関して送信指示を行った後、メッセージＭ１の情報を削除し、次にメッセージＭ２に関して送信指示を行う（（ｍ））。サービスセンター１１１は送信指示を受けると、メッセージＭ２を移動機１３１に送信する（（ｎ））。移動機１３１はメッセージＭ２を受信すると、サービスセンター１１１に送信レポートを送信する（（ｏ））。
【００５７】
ＨＬＲ１２１はメッセージＭ２に関して送信指示を行った後、メッセージＭ２の情報を削除し、次にメッセージＭ３に関して送信指示を行う（（ｐ））。サービスセンター１１２は送信指示を受けると、メッセージＭ３を移動機１３１に送信する（（ｑ））。移動機１３１はメッセージＭ３を受信すると、サービスセンター１１２に送信レポートを送信する（（ｒ））。
【００５８】
ＨＬＲ１２１は、メッセージＭ１を移動機１３１が受信したことを確認した後で、次のメッセージＭ２の送信指示を行うこともできる。そのためには、図１０の処理（ｌ）の後に、サービスセンター１１２がＨＬＲ１２１に成功通知を行い、ＨＬＲ１２１が成功通知を受け取った後で処理（ｍ）（サービスセンター１１１への送信指示）を行うようにすればよい。
【００５９】
本実施形態においてＨＬＲ１２１は、移動機からの位置登録要求を契機にその移動機がメッセージを受信できるようになったことを知り、サービスセンターに送信指示を行うようにしている。ただし、移動機が受信できるまで、サービスセンターが自主的に繰り返しメッセージを送信するようにしてもよいし、ＨＬＲがサービスセンターに繰り返し送信指示を行うようにしてもよい。
【００６０】
（第４実施形態）
本発明の第３実施形態に係るメッセージサービスシステムにおいても、第２実施形態で図７を用いて説明したように、メッセージとして優先メッセージおよび非優先メッセージを設け、両者の扱いを変えるようにすることができる。
【００６１】
すなわち、ＨＬＲ１２１は、メッセージ情報を、優先メッセージと非優先メッセージとに分けて、サービスセンターの受信時刻、または送信元の送信時刻の順にＭＷＤに記憶する。サービスセンターに保管されているメッセージをその送信先の移動機が受信できるようになった場合、ＨＬＲ１２１は、まず、優先メッセージについて、ＭＷＤに記憶された順に、記憶されたメッセージの情報に基づき、該メッセージを保管するサービスセンターに、該メッセージをその送信先の移動機に送信するように指示する。次に、非優先メッセージについて、ＭＷＤに記憶された順に、記憶されたメッセージの情報に基づき、該メッセージを保管するサービスセンターに、該メッセージをその送信先の移動機に送信するように指示する。
【００６２】
（その他）
本発明の第１実施形態から第４実施形態では、メッセージ情報をサービスセンターの受信時刻の順に記憶し、送信していた。ただし、送信元から送信時刻を送るようにすれば、送信元の送信時刻の順に記憶し、送信するようにすることもできる。
【００６３】
【発明の効果】
以上説明したように本発明によれば、メッセージサービスにおいてメッセージの到着順序の適正化を図ることができる。
【図面の簡単な説明】
【図１】従来のメッセージサービスシステムにおけるメッセージの流れの例を示す図である。
【図２】従来のメッセージサービスシステムにおいて送信先の移動機がメッセージを受信できない場合の処理例を示す図である。
【図３】本発明の第１実施形態に係るメッセージサービスシステムの構成例を示す図である。
【図４】本発明の第１実施形態に係るメッセージサービスシステムにおいて送信先の移動機がメッセージを受信できる場合の処理例を示す図である。
【図５】本発明の第１実施形態に係るメッセージサービスシステムにおいて送信先の移動機がメッセージを受信できない場合の処理例を示す図である。
【図６】本発明の第１実施形態に係るメッセージサービスシステムにおいて送信先の移動機がメッセージを受信できない場合の処理例を示す図である。
【図７】本発明の第２実施形態に係るＨＬＲのＭＷＤへのメッセージ情報の記憶例を示す図である。
【図８】本発明の第３実施形態に係るメッセージサービスシステムにおいて送信先の移動機がメッセージを受信できる場合の処理例を示す図である。
【図９】本発明の第３実施形態に係るメッセージサービスシステムにおいて送信先の移動機がメッセージを受信できない場合の処理例を示す図である。
【図１０】本発明の第３実施形態に係るメッセージサービスシステムにおいて送信先の移動機がメッセージを受信できない場合の処理例を示す図である。
【符号の説明】
１１、１３、１４、１１１、１１２  サービスセンター
２１、１２１  ＨＬＲ
３１〜３３、１３１〜１３４  移動機
１４１、１４２  交換機
【図１】
0003588295.tif 000002
【図２】
0003588295.tif 000003
【図３】
0003588295.tif 000004
【図４】
0003588295.tif 000005
【図５】
0003588295.tif 000006
【図６】
0003588295.tif 000007
【図７】
0003588295.tif 000008
【図８】
0003588295.tif 000009
【図９】
0003588295.tif 000010
【図１０】
0003588295.tif 000011